(57)【要約】【課題】簡単な構成でディスクの径に応じた引き込み動作を行うことができるスロットイン型ディスク装置を提供すること。【解決手段】スロットイン型ディスク装置は、ベース本体１０と蓋体とからシャーシ外装を構成し、シャーシ外装のフロント面にディスクを直接挿入するディスク挿入口１１を形成し、ベース本体１０のフロント面側にはトラバースベース３０が配置され、トラバースベース３０の側方にトラバース昇降用スライダ５０が配置され、トラバースベース３０のカムピン３５とトラバース昇降用スライダ５０のトラバース昇降用カム溝５２との間でトラバースベース３０を昇降させ、シャーシ外装のフロント面の一端に配置した第１の検出器８１と、シャーシ外装の中心部に配置した第２の検出器８２とを有し、第１の検出器８１によってディスクの大きさを判別し、第２の検出器８２によってディスクの挿入を検出することを特徴とする。【選択図】        図１
2008159232.tif 000002
【特許請求の範囲】
【請求項１】
ベース本体と蓋体とからシャーシ外装を構成し、
前記シャーシ外装のフロント面にディスクを直接挿入するディスク挿入口を形成し、
前記ベース本体のフロント面側にはトラバースベースが配置され、
前記トラバースベースの側方にトラバース昇降用スライダが配置され、
前記トラバースベースのカムピンと前記トラバース昇降用スライダのトラバース昇降用カム溝との間で前記トラバースベースを昇降させるスロットイン型ディスク装置であって、
前記シャーシ外装のフロント面の一端に配置した第１の検出器と、前記シャーシ外装の中心部に配置した第２の検出器とを有し、
前記第１の検出器によって前記ディスクの大きさを判別し、前記第２の検出器によって前記ディスクの挿入を検出することを特徴とするスロットイン型ディスク装置。
【請求項２】
フロント側とリア側との間を移動するディスク引き込み用スライダと、前記ディスク引き込み用スライダの上面に設けた引き込みレバー用カム溝と、前記引き込みレバー用カム溝に係合するカムピンと、前記カムピンの移動によって前記ディスクに当接する端部を変位させる引き込みレバーと、前記ディスク引き込み用スライダを動作させるモータとを備え、前記第１の検出器によって前記モータの回転方向を正転と逆転とに切り換え、前記モータの回転方向によって、前記ディスク引き込み用スライダの移動方向を、フロント側とリア側とに切り換えることを特徴とする請求項１に記載のスロットイン型ディスク装置。
【請求項３】
前記ディスク引き込み用スライダと前記トラバース昇降用スライダとを平行に設け、
前記ディスク引き込み用スライダは、第１のラックと第２のラックと第３のラックとをそれぞれ異なる高さに設け、
前記トラバース昇降用スライダは、前記ディスク引き込み用スライダ側側面に第４のラックを設け、
第１のギアは、前記第３のラックと前記第４のラックと噛み合い、第２のギアは、前記第２のラックと前記第４のラックと噛み合い、第３のギアは、前記第１のラックとかみ合うとともに前記モータの駆動によって回転し、
前記ディスクの挿入を、前記第１の検出器と前記第２の検出器とがともに検出すると、大径のディスクであると判断して前記モータを駆動し、前記モータの駆動によって前記第３のギアを反時計方向に回転し、前記第１のラックと前記第３のギアとの噛み合いにより、前記ディスク引き込み用スライダをリア側に移動し、前記第３のラックと前記第１のギアと前記第４のラックとの噛み合いにより前記トラバース昇降用スライダをフロント側に移動し、
前記ディスクの挿入を、前記第２の検出器のみで検出すると、小径のディスクであると判断して前記モータを駆動し、前記モータの逆方向への駆動によって前記第３のギアを時計方向に回転し、前記第１のラックと前記第３のギアとの噛み合いにより、前記ディスク引き込み用スライダをフロント側に移動し、前記第２のラックと前記第２のギアと前記第１のギアと前記第４のラックの噛み合いにより前記トラバース昇降用スライダをフロント側に移動することを特徴とする請求項２に記載のスロットイン型ディスク装置。
【発明の詳細な説明】
【技術分野】
【０００１】
本発明は、ＣＤやＤＶＤなどのディスク状の記録媒体への記録、または再生を行うディスク装置に関し、特に外部からディスクを直接挿入し、または直接排出できるスロットイン型ディスク装置に関する。
【背景技術】
【０００２】
従来のディスク装置は、トレイまたはターンテーブル上にディスクを載置し、このトレイやターンテーブルを装置本体内に装着するローディング方式が多く採用されているが、このようなローディング方式では、トレイやターンテーブルが必要な分、ディスク装置本体を薄型化するには限度があった。このため、最近では、ローディングモータによりレバー等でディスクを直接操作するスロットイン型ディスク装置が存在する（例えば特許文献１）。
特許文献１の装置では、装置内の右前部に配置されたレバーによって、ディスク引き込みとディスクチャッキング時のディスク保持を実現している。このレバーは、装置内においてトラバースの側方に配置されたスライダの上面部に設けられたカムによって、各動作を行っている。上記スライダは側面にトラバース昇降用のカムも設けており、スライダの前後動作によって、ディスク引き込みレバーとトラバースをタイミングよく動かすことで、ディスクの搬送、チャッキング等を実現している。
【特許文献１】特開２００２−３５２４９８号公報
【発明の開示】
【発明が解決しようとする課題】
【０００３】
しかし、特許文献１の装置では、１２ｃｍディスクと８ｃｍディスクの両方に対応するためには、ディスクの引き込みレバーの回動量をディスクの径に合わせて切り替える必要がある。このためにはスライダ上面に１２ｃｍ用と８ｃｍ用の２種類のカムを配置し、ディスクが挿入された時にディスクの径を判別しディスク引き込みレバーが使用するスライダのカムを、１２ｃｍ用か８ｃｍ用に切り替える機構が必要である。従来の方法では、上記スライダの動作がトラバース昇降とレバー回動を兼ね備えているため、スライダの動作に制限があることと、スライダ上面に２種類のカムの設置スペースが十分取れないことにより、２種類のディスク対応が困難であった。
【０００４】
そこで本発明は、簡単な構成でディスクの径に応じた引き込み動作を行うことができるスロットイン型ディスク装置を提供することを目的とする。
【課題を解決するための手段】
【０００５】
請求項１記載の本発明のスロットイン型ディスク装置は、ベース本体と蓋体とからシャーシ外装を構成し、前記シャーシ外装のフロント面にディスクを直接挿入するディスク挿入口を形成し、前記ベース本体のフロント面側にはトラバースベースが配置され、前記トラバースベースの側方にトラバース昇降用スライダが配置され、前記トラバースベースのカムピンと前記トラバース昇降用スライダのトラバース昇降用カム溝との間で前記トラバースベースを昇降させるスロットイン型ディスク装置であって、前記シャーシ外装のフロント面の一端に配置した第１の検出器と、前記シャーシ外装の中心部に配置した第２の検出器とを有し、前記第１の検出器によって前記ディスクの大きさを判別し、前記第２の検出器によって前記ディスクの挿入を検出することを特徴とする。
請求項２記載の本発明は、請求項１に記載のスロットイン型ディスク装置において、フロント側とリア側との間を移動するディスク引き込み用スライダと、前記ディスク引き込み用スライダの上面に設けた引き込みレバー用カム溝と、前記引き込みレバー用カム溝に係合するカムピンと、前記カムピンの移動によって前記ディスクに当接する端部を変位させる引き込みレバーと、前記ディスク引き込み用スライダを動作させるモータとを備え、前記第１の検出器によって前記モータの回転方向を正転と逆転とに切り換え、前記モータの回転方向によって、前記ディスク引き込み用スライダの移動方向を、フロント側とリア側とに切り換えることを特徴とする。
請求項３記載の本発明は、請求項２に記載のスロットイン型ディスク装置において、前記ディスク引き込み用スライダと前記トラバース昇降用スライダとを平行に設け、前記ディスク引き込み用スライダは、第１のラックと第２のラックと第３のラックとをそれぞれ異なる高さに設け、前記トラバース昇降用スライダは、前記ディスク引き込み用スライダ側側面に第４のラックを設け、第１のギアは、前記第３のラックと前記第４のラックと噛み合い、第２のギアは、前記第２のラックと前記第４のラックと噛み合い、第３のギアは、前記第１のラックとかみ合うとともに前記モータの駆動によって回転し、前記ディスクの挿入を、前記第１の検出器と前記第２の検出器とがともに検出すると、大径のディスクであると判断して前記モータを駆動し、前記モータの駆動によって前記第３のギアを反時計方向に回転し、前記第１のラックと前記第３のギアとの噛み合いにより、前記ディスク引き込み用スライダをリア側に移動し、前記第３のラックと前記第１のギアと前記第４のラックとの噛み合いにより前記トラバース昇降用スライダをフロント側に移動し、前記ディスクの挿入を、前記第２の検出器のみで検出すると、小径のディスクであると判断して前記モータを駆動し、前記モータの逆方向への駆動によって前記第３のギアを時計方向に回転し、前記第１のラックと前記第３のギアとの噛み合いにより、前記ディスク引き込み用スライダをフロント側に移動し、前記第２のラックと前記第２のギアと前記第１のギアと前記第４のラックの噛み合いにより前記トラバース昇降用スライダをフロント側に移動することを特徴とする。
【発明の効果】
【０００６】
本発明によれば、２つの検出器によってディスクの径を判別することができるので、ディスクの径に応じた引き込み動作を行うことができる。
また本発明によれば、径の異なるディスクの引き込み動作を、ディスク引き込み用スライダの動作方向を変更して行うために、ディスク引き込み用スライダを一つで行うことができる。
【発明を実施するための最良の形態】
【０００７】
本発明の第１の実施の形態によるスロットイン型ディスク装置は、シャーシ外装のフロント面の一端に配置した第１の検出器と、シャーシ外装の中心部に配置した第２の検出器とを有し、第１の検出器によってディスクの大きさを判別し、第２の検出器によってディスクの挿入を検出するものである。本実施の形態によれば、２つの検出器によってディスクの径を判別することができるので、ディスクの径に応じた引き込み動作を行うことができる。
本発明の第２の実施の形態は、第１の実施の形態によるスロットイン型ディスク装置において、フロント側とリア側との間を移動するディスク引き込み用スライダと、ディスク引き込み用スライダの上面に設けた引き込みレバー用カム溝と、引き込みレバー用カム溝に係合するカムピンと、カムピンの移動によってディスクに当接する端部を変位させる引き込みレバーと、ディスク引き込み用スライダを動作させるモータとを備え、第１の検出器によってモータの回転方向を正転と逆転とに切り換え、モータの回転方向によって、ディスク引き込み用スライダの移動方向を、フロント側とリア側とに切り換えるものである。本実施の形態によれば、径の異なるディスクの引き込み動作を、ディスク引き込み用スライダの動作方向を変更して行うために、ディスク引き込み用スライダを一つで行うことができる。
本発明の第３の実施の形態は、第２の実施の形態によるスロットイン型ディスク装置において、ディスク引き込み用スライダとトラバース昇降用スライダとを平行に設け、ディスク引き込み用スライダは、第１のラックと第２のラックと第３のラックとをそれぞれ異なる高さに設け、トラバース昇降用スライダは、ディスク引き込み用スライダ側側面に第４のラックを設け、第１のギアは、第３のラックと第４のラックと噛み合い、第２のギアは、第２のラックと第４のラックと噛み合い、第３のギアは、第１のラックとかみ合うとともにモータの駆動によって回転し、ディスクの挿入を、第１の検出器と第２の検出器とがともに検出すると、大径のディスクであると判断してモータを駆動し、モータの駆動によって第３のギアを反時計方向に回転し、第１のラックと第３のギアとの噛み合いにより、ディスク引き込み用スライダをリア側に移動し、第３のラックと第１のギアと第４のラックとの噛み合いによりトラバース昇降用スライダをフロント側に移動し、ディスクの挿入を、第２の検出器のみで検出すると、小径のディスクであると判断してモータを駆動し、モータの逆方向への駆動によって第３のギアを時計方向に回転し、第１のラックと第３のギアとの噛み合いにより、ディスク引き込み用スライダをフロント側に移動し、第２のラックと第２のギアと第１のギアと第４のラックの噛み合いによりトラバース昇降用スライダをフロント側に移動することものである。本実施の形態によれば、ディスク引き込み用スライダとトラバース昇降用スライダとによってトラバースの昇降とともに径の異なるディスクの引き込み動作を行うことができる。
【実施例１】
【０００８】
以下本発明の一実施例によるディスク装置について説明する。
図１から図６は本実施例によるディスク装置の概念構成図であり、図１は大径ディスクを検知したスタンバイ状態を示す図、図２は大径ディスクのホールド状態を示す図、図３は大径ディスクの引き込み完了状態を示す図、図１は小径ディスクを検知したスタンバイ状態を示す図、図２は小径ディスクのホールド状態を示す図、図３は小径ディスクの引き込み完了状態を示す図である。
本実施例によるディスク装置は、ベース本体と蓋体とからシャーシ外装が構成され、このシャーシ外装のフロント面にベゼルが装着される。また本実施例によるディスク装置は、ベゼルに設けたディスク挿入口からディスクを直接挿入するスロットイン型ディスク装置である。
図に示すように、ディスクへの記録再生機能やディスクのローディング機能を行う各部品は、ベース本体１０に装着される。
ベース本体１０のフロント側にはディスクを直接挿入するディスク挿入口１１を形成し、ベース本体１０のリア面の端部にはコネクタ１２を配設している。ベース本体１０のディスク挿入口１１側にはトラバースベース３０が配置され、ベース本体１０のコネクタ１２側にはリアベース（図示せず）が配置されている。トラバースベース３０とリアベースとは互いが重ならないように配置されている。
【０００９】
トラバースベース３０は、スピンドルモータ３１とピックアップ３２とピックアップ３２を移動させる駆動手段（図示せず）とを保持している。スピンドルモータ３１はトラバースベース３０の一端側に設けられ、ピックアップ３２はトラバースベース３０の一端側から他端側までを移動可能に設けられている。またピックアップ３２はスタンバイ時にはトラバースベース３０の他端側、すなわちベース本体１０の外周側に配置される。
トラバースベース３０において、スピンドルモータ３１がベース本体１０の中央部に位置し、またピックアップ３２の往復動範囲がスピンドルモータ３１よりもディスク挿入口１１側に位置し、またピックアップ３２の往復移動方向がディスクの挿入方向と異なるように配設されている。ここで、ピックアップ３２の往復移動方向とディスクの挿入方向とは、４０〜４５度の角度としている。
トラバースベース３０は、インシュレータ３４によってベース本体１０に支持されている。
【００１０】
インシュレータ３４は、スピンドルモータ３１の位置よりもピックアップ３２の静止位置側に配設している。本実施例では、インシュレータ３４はディスク挿入口１１の内側近傍の一端側に設けている。インシュレータ３４は、弾性材料からなるダンパー機構を備えている。トラバースベース３０は、インシュレータ３４を支点として、スピンドルモータ３１側をベース本体１０と近接離間させるように動作する。
【００１１】
以下に、カム機構を備えたディスク引き込み用スライダ４０とトラバース昇降用スライダ５０について説明する。
ディスク引き込み用スライダ４０とトラバース昇降用スライダ５０とは、ともにフロント側とリア側との間を移動するように平行に設けている。
ディスク引き込み用スライダ４０は、第１のラック４１と第２のラック４２と第３のラック４３とをそれぞれ異なる高さに設けている。また、ディスク引き込み用スライダ４０の上面には、引き込みレバー用カム溝４４を設けている。
一方、トラバース昇降用スライダ５０は、ディスク引き込み用スライダ４０側側面に第４のラック５１を設け、トラバースベース３０側側面にはトラバース昇降用カム溝５２を設けている。
第１のギア６１は、第３のラック４３と第４のラック５１とかみ合う。また、第２のギア６２は、第２のラック４２と第４のラック５１とかみ合う。また、第３のギア６３は、第１のラック４１と噛み合い、モータ６４の駆動によって回転する。
引き込みレバー７０は、支点７１を中心にカムピン７２の移動によって端部７３が動作する。カムピン７２は、引き込みレバー用カム溝４４に係合しており、ディスク引き込み用スライダ４０の動作によって変位する。端部７３は、ディスクに当接して、ディスクの引き込み動作を行う。
トラバースベース３０の側部にはカムピン３５を有し、カムピン３５は、トラバース昇降用カム溝５２に係合し、トラバース昇降用スライダ５０の動作によって変位する。
また、本装置には２つの検出器を有しており、第１の検出器８１はインシュレータ３４の近傍、すなわちディスク挿入口１１の内側近傍の一端側に設け、第２の検出器８２はスピンドルモータ３１の近傍に設けている。なお、第１の検出器８１と第２の検出器８２は、光学センサーが適しているが、例えば接触式の機械式のスイッチであってもよい。また、本実施例では両検出器８１、８２をベース本体１０側に設けた場合を示しているが、蓋体側に設けてもよい。
【００１２】
次にディスクの引き込み動作について説明する。
まず、大径ディスク（１２ｃｍディスク）の引き込み時の動作について説明する。
図１に示すように、ディスク挿入を両検出器８１、８２がともに検出すると１２ｃｍディスクであると判断し、モータ６４の駆動を開始する。
モータ６４の駆動によって、第３のギア６３は反時計方向に回転する。第１のラック４１と第３のギア６３の噛み合いにより、ディスク引き込み用スライダ４０がリア側に移動する。
このとき、引き込みレバー７０がディスク引き込み用スライダ４０の端部７３がカムピン７２によって回転し、図２に示すように１２ｃｍディスクの引き込みを行う。
第３のラック４３と第１のギア６１と第４のラック５２との噛み合いによりトラバース昇降用スライダ５０は、フロント側に移動する。
そして、トラバース昇降用スライダ５０の側面に備えたトラバース昇降用カム溝５２に係合するカムピン３５でトラバース３０を昇降させてディスクのチャッキングを行う。
引き込みレバー７０がディスク引き込み用スライダ４０の引き込みレバー用カム溝４４に係合するカムピン７２によって回転し、ディスクから退避して、図３に示すようにディスク引き込み動作を完了する。
【００１３】
次に、小径ディスク（８ｃｍディスク）の引き込み時の動作について説明する。
図４に示すように、ディスク挿入を第２の検出器８２のみで検出すると８ｃｍディスクであると判断し、モータ６４の駆動を開始する。なお、この時、モータ６４は、１２ｃｍディスク時とは逆方向に駆動する。
モータ６４の駆動によって、第３のギア６３は時計方向に回転する。第１のラック４１と第３のギア６３の噛み合いにより、ディスク引き込み用スライダ４０がフロント側に移動する。
このとき、引き込みレバー７０がディスク引き込み用スライダ４０の端部７３がカムピン７２によって回転し、図５に示すように８ｃｍディスクの引き込みを行う。
第２のラック４２と第２のギア６２と第１のギア６１と第４のラック５２の噛み合いにより、トラバース昇降用スライダ５０は、フロント側に移動する。
そして、トラバース昇降用スライダ５０の側面に備えたトラバース昇降用カム溝５２に係合するカムピン３５でトラバース３０を昇降させてディスクのチャッキングを行う。
引き込みレバー７０がディスク引き込み用スライダ４０の引き込みレバー用カム溝４４に係合するカムピン７２によって回転し、ディスクから退避して、図６に示すようにディスク引き込み動作を完了する。
【００１４】
なお、本実施例においては、トラバース昇降用スライダ５０を一つで説明したが、トラバースベース３０の他の側部に設けるサブスライダについては説明を省略した。
【産業上の利用可能性】
【００１５】
本発明は、ＣＤ、ＤＶＤ等のディスク状記録媒体の記録または再生を行うディスク装置において、特に家庭用映像機器やコンピュータの周辺装置として用いられる薄型化の必要なディスク装置に利用できる。 
【図面の簡単な説明】
【００１６】
【図１】本発明の一実施例によるディスク装置の大径ディスクを検知したスタンバイ状態を示す概念構成図
【図２】同装置の大径ディスクのホールド状態を示す概念構成図
【図３】同装置の大径ディスクの引き込み完了状態を示す概念構成図
【図４】同装置の小径ディスクを検知したスタンバイ状態を示す概念構成図
【図５】同装置の小径ディスクのホールド状態を示す概念構成図
【図６】同装置の小径ディスクの引き込み完了状態を示す概念構成図
【符号の説明】
【００１７】
１０  ベース本体
１１  ディスク挿入口
３０  トラバースベース
４０  ディスク引き込み用スライダ
４１  第１のラック
４２  第２のラック
４３  第３のラック
４４  引き込みレバー用カム溝
５０  トラバース昇降用スライダ
５１  第４のラック
５２  トラバース昇降用カム溝
６１  第１のギア
６２  第２のギア
６３  第３のギア
６４  モータ
８１  第１の検出器
８２  第２の検出器
【図１】
2008159232.tif 000003
【図２】
2008159232.tif 000004
【図３】
2008159232.tif 000005
【図４】
2008159232.tif 000006
【図５】
2008159232.tif 000007
【図６】
2008159232.tif 000008